(57)【要約】【課題】  繰り返し書き換え可能な相変化型の光記録媒体について、高温環境におけるオーバーライトの繰り返しによる再生信号の品質劣化を、常温環境下での検査により評価できるようにする。【解決手段】  照射されるレーザパワーの差で結晶−非結晶の相変化が生じる材料からなる記録層を設けてなる相変化型光記録媒体に対して、常温において、再生信号のジッターが最小となるレーザパワーより一定値大きなレーザパワーで同一トラックを繰り返しオーバーライトする。そして、一定回数オーバーライト後の再生信号のジッター値を測定して、その測定されたジッター値が基準値以下かどうかを判定することにより、再生信号の品質劣化を評価する。【選択図】        図５
2006202386.tif 000002
【特許請求の範囲】
【請求項１】
照射されるレーザパワーの差で結晶−非結晶の相変化が生じる材料からなる記録層を設けてなる相変化型光記録媒体に対して、常温において、再生信号のジッターが最小となるレーザパワーより一定値大きなレーザパワーで同一トラックを繰り返しオーバーライトし、
一定回数オーバーライト後の再生信号のジッター値を測定し、
前記測定されたジッター値が基準値以下かどうかを判定する
ことを特徴とする相変化型光記録媒体の検査方法。
【請求項２】
前記ジッターが最小となるレーザパワーより１０〜１５％大きいレーザパワーでオーバーライトする
ことを特徴とする請求項１に記載の相変化型光記録媒体の検査方法。
【請求項３】
前記一定回数オーバーライト後のジッター値の前記基準値が１５％である
ことを特徴とする請求項１又は２に記載の相変化型光記録媒体の検査方法。
【請求項４】
前記オーバーライト時の前記レーザパワーの記録パワーレベルと消去パワーレベルの比率が一定である
ことを特徴とする請求項１〜３のいずれか１項に記載の相変化型光記録媒体の検査方法。
【請求項５】
前記オーバーライト回数が１０００回である
ことを特徴とする請求項１〜４のいずれか１項に記載の相変化型光記録媒体の検査方法。
【請求項６】
前記相変化型光記録媒体は、ＤＶＤ−ＲＷ又はＤＶＤ＋ＲＷメディアである
ことを特徴とする請求項１〜５のいずれか１項に記載の相変化型光記録媒体の検査方法。
【発明の詳細な説明】
【技術分野】
【０００１】
本発明は、相変化型光記録媒体の検査方法に関し、特に高温環境におけるオーバーライトの繰り返しによる相変化型光記録媒体の再生信号の品質劣化を評価する検査方法に係わる。
【背景技術】
【０００２】
従来、相変化型光記録媒体（以下、「光ディスク」と称する。）では、照射されるレーザパワーの差で結晶状態と非結晶状態（アモルファス）間の相変化が生じる材料からなる記録層が透明基板上に設けてある。記録時はレーザ光を記録層に照射して部分的に溶融し、熱拡散により急冷、固化することでアモルファスの記録マークが形成される。また消去時には記録マークにレーザ光を照射し、記録層の融点以下、かつ結晶化温度以上の温度に加熱することによって、アモルファスの記録マークを結晶化し、もとの未記録状態に戻す。これらの処理を繰り返すことによって相変化型光ディスクに対して、繰り返し書き換え、いわゆる繰り返しオーバーライトを行うことができる。
【０００３】
しかし、光ディスクにオーバーライトを繰り返すと、記録層の物質移動による該記録層の膜厚変化や、記録層に接する誘電体層中の物質の記録層への拡散などにより、ジッター特性の悪化、信号振幅の低下などが生じ、信号誤り率が増加するという問題があった。
【０００４】
この問題を解決するため、記録層の真上又は真下に金属層を設けて、記録層内に生じた熱をこの金属層に拡散させることにより、オーバーライト時に記録層にかかる熱的ダメージを減少させて、オーバーライトの繰り返しに対する記録層の耐久性を向上させるようにした技術が提案されている（例えば、特許文献１参照。）。
【特許文献１】特開平６−３６３５２号公報
【発明の開示】
【発明が解決しようとする課題】
【０００５】
ところで、この繰り返しオーバーライトによる再生信号の品質劣化は、常温環境よりも高温環境で顕著になることがわかっている。したがって、相変化型光ディスクとしては、記録再生ドライブが高温環境で使用された場合を想定して、高温環境での繰り返しオーバーライト特性を保証することが必要であるが、一方で光ディスクの検査装置は精密機器であり、高温環境では検査装置の測定精度が保証されないという問題がある。このため、高温環境での高精度の繰り返しオーバーライトによる品質劣化の検査は、行なわれていないというのが実状であった。
【０００６】
本発明は斯かる点に鑑みてなされたものであり、繰り返し書き換え可能な相変化型の光記録媒体について、高温環境におけるオーバーライトの繰り返しによる再生信号の品質劣化を、常温環境下での検査により精度良く評価できるようにすることを目的とする。
【課題を解決するための手段】
【０００７】
上記目的を達成するため、本発明は、照射されるレーザパワーの差で結晶−非結晶の相変化が生じる材料からなる記録層を設けてなる相変化型光記録媒体に対して、常温において、再生信号のジッターが最小となるレーザパワーより一定値大きなレーザパワーで同一トラックを繰り返しオーバーライトし、一定回数オーバーライト後の再生信号のジッター値を測定して、その測定されたジッター値が基準値以下かどうかを判定することを特徴とする。例えば、上記測定においては、ジッターが最小となるレーザパワーより、約１０〜１５％大きいレーザパワーでオーバーライトすると好適である。
【０００８】
斯かる本発明によれば、常温で最適パワーよりやや大きいレーザパワーで繰り返しオーバーライトし、オーバーライト後のジッター値を測定することによって、高温での繰り返しオーバーライトによる相変化型光記録媒体の特性劣化を精度良く簡易に測定することができる。
【発明の効果】
【０００９】
本発明によれば、常温での繰り返しオーバーライト後の再生信号のジッター値を測定することにより、高温環境においてオーバーライトを繰り返した場合の再生信号の品質劣化を予測することができるので、検査装置に負担を掛けることなく、相変化型光記録媒体の高温での耐久性を精度良く測定できるようになり、仕様に対する合否を正確かつ簡易に判定することができるという効果がある。
【発明を実施するための最良の形態】
【００１０】
以下、本発明による相変化型光記録媒体の検査方法の実施の形態について、図１〜図５を参照しながら説明する。
【００１１】
まず、本発明の一実施の形態の例の相変化型光記録媒体（以下、「光ディスク」と称する。）の検査に使用される検査装置を、図１に示す。なお、図１に示す光ディスク検査装置１の構成は一例であって、この例に限られるものではない。
【００１２】
光ディスク検査装置１は、書き換え可能な相変化型の光ディスク２を回転駆動する駆動装置３と、光ディスク２にレーザ光を照射するとともにレーザ光照射による光ディスク２からの反射光を受光する光ピックアップ装置４とを備えている。
【００１３】
駆動装置３は、光ディスク２を回転駆動するためのスピンドルモータ５及び光ディスク２を径方向に移動させるフィードモータ６を備えている。スピンドルモータ５の回転軸にはターンテーブル７が固定されており、同ターンテーブル７上に光ディスク２が着脱可能に組み付けられるようになっている。また、スピンドルモータ５内には、スピンドルモータ５の回転すなわちターンテーブル７（光ディスク２）の回転を検出して、その回転の状態を表す回転検出信号を出力するエンコーダ８が組み込まれている。
【００１４】
また、スピンドルモータ５の回転は、スピンドルモータ制御回路１１によって制御される。スピンドルモータ制御回路１１は、ウォブル信号取出し回路１２から供給されたウォブル信号と、後述する２値化回路２７から供給されるデジタル信号（光ディスクの再生信号）とを用いて、光ディスク２上の光スポットが線速度一定で同光ディスク２に対して移動するように、スピンドルモータ５の回転速度を制御する。
【００１５】
このスピンドルモータ制御回路１１には、コントローラ１３からの速度制御信号も入力され、この速度制御信号により、光ディスク２上の光スポットの線速度が切り換えられる（例えば、基準速度に対して２倍速度、４倍速度など）ようになっている。この場合、前記クロック信号の周波数を逓倍して、この逓倍されたクロック信号と上記ウォブル信号との同期をとるようにすればよい。
【００１６】
フィードモータ６は、スクリューロッド１０を介して、スピンドルモータ５を固定支持するとともに光ディスク２の径方向の移動のみが許容された支持部材９に連結されている。スクリューロッド１０は、その一端にてフィードモータ６の回転軸に一体回転するように連結され、その他端に支持部材９に固着されたナット（図示略）に螺合している。したがって、フィードモータ６が回転すると、スピンドルモータ５、ターンテーブル７及び支持部材９はスクリューロッド１０及びナットからなるねじ機構により光ディスク２の径方向に変位する。
【００１７】
そして、フィードモータ６内にも、フィードモータ６の回転を検出して、上記エンコーダ８と同様な回転検出信号を出力する不図示のエンコーダが組み込まれている。このエンコーダからの回転検出信号はスレッドサーボ回路１４に供給される。スレッドサーボ回路１４は、この回転検出信号に加えて、トラッキングサーボ信号を用いてフィードモータ６の回転を制御して、スピンドルモータ５、ターンテーブル７及び支持部材９の光ディスク２の径方向への変位を制御する。具体的には、入力装置１５により指定された光スポットの光ディスク２上の径方向位置を表す信号がコントローラ１３から入力されて、エンコーダ８からの回転検出信号を用いて、光スポットをこの指定された径方向位置に移動させる。また、トラッキングサーボ信号を用いて、光スポットが光ディスク２のトラックを追従して移動するように制御する。
【００１８】
一方、光ピックアップ装置４は、レーザ光源１６、コリメートレンズ１７、偏光ビームスプリッタ１８、１／４波長板１９、対物レンズ２０、シリンドリカルレンズ２１及びフォトディテクタ２２を備えている。そして、この光ピックアップ装置４においては、レーザ光源１６からのレーザ光を、コリメートレンズ１７、偏光ビームスプリッタ１８、１／４波長板１９及び対物レンズ２０を介して、光ディスク２に集光させ、光ディスク２上に光スポットを形成する。また、この光ディスク２に形成された光スポットからの反射光は、対物レンズ２０、１／４波長板１９、偏光ビームスプリッタ１８及びシリンドリカルレンズ２１を介して、フォトディテクタ２２に導かれて受光される。フォトディテクタ２２は、分割線で区切られた４つの同一正方形状の受光素子からなる４分割受光素子によって構成されており、各受光素子は受光量に比例した検出信号Ａ，Ｂ，Ｃ，Ｄをそれぞれ受光信号として出力する。
【００１９】
また、この光ピックアップ装置４は、フォーカスアクチュエータ２３、トラッキングアクチュエータ２４も備えている。フォーカスアクチュエータ２３は、対物レンズ２０をレーザ光の光軸方向（光ディスク２の盤面と垂直方向）に駆動する。トラッキングアクチュエータ２４は、対物レンズ２０を光ディスク２の径方向に駆動する。
【００２０】
この光ディスク検査装置１は、フォトディテクタ２２に接続されてその検出信号Ａ，Ｂ，Ｃ，Ｄを増幅する増幅回路(図示略)を備えている。この増幅回路には、再生信号生成回路２５、フォーカスエラー信号生成回路３２及びトラッキングエラー信号生成回路３４が接続されている。
【００２１】
再生信号生成回路２５は、増幅回路からの信号に基づいて再生信号（フォトディテクタ２２からの検出信号Ａ〜Ｄの合算信号Ａ＋Ｂ＋Ｃ＋ＤからなるＳＵＭ信号）を生成する。この再生信号は、イコライズ回路で構成された波形等価回路２６によってその振幅が周波数に応じて補正されて、２値化回路２７に出力される。そして、２値化回路２７にて２値化すなわちデジタル信号に変換されて、ジッター計測装置２８に供給される。ジッター計測装置２８においては、再生信号のジッターが計測され、再生信号の品質劣化の評価材料として利用される。また、波形等価回路２６の出力は、デジタルオシロスコープで構成された波形評価装置２９にも供給され、再生信号の対称性、記録マーク長ごとの振幅比など、再生信号の波形に関する評価がなされる。
【００２２】
これらジッター計測装置２８及び波形評価装置２９は、コンピュータによって構成され制御手段として機能するコントローラ１３の制御の下に、上記再生信号に関する評価結果をコントローラ１３に供給する。したがって、コントローラ１３は、これらの評価結果を用いて光ディスク２を検査することになる。また、２値化回路２７からのデジタル信号は、前述のようにスピンドルモータ５の制御のために、スピンドルモータ制御回路１１にも出力される。
【００２３】
フォーカスエラー信号生成回路３２は、増幅回路を介したフォトディテクタ２２からの検出信号Ａ〜Ｄを用いた演算（具体的には、非点収差法による（Ａ＋Ｃ）−（Ｂ＋Ｄ）の演算）により、フォーカスエラー信号を生成して、フォーカスサーボ回路３３に出力する。フォーカスサーボ回路３３は、フォーカスエラー信号に基づいてフォーカスサーボ信号を生成してドライブ回路３０に供給する。ドライブ回路３０は、フォーカスサーボ信号に応じてフォーカスアクチュエータ２３を駆動制御して、対物レンズ２０を光軸方向に変位させてフォーカスサーボ制御する。
【００２４】
また、トラッキングエラー信号生成回路３４は、増幅回路を介してフォトディテクタ２２からの検出信号Ａ〜Ｄを用いた演算（具体的には、（Ａ＋Ｂ）−（Ｃ＋Ｄ）の演算）により、トラッキングエラー信号を生成して、トラッキングサーボ回路３５に出力する。トラッキングサーボ回路３５は、トラッキングエラー信号に基づいてトラッキングサーボ信号を生成してドライブ回路３１に供給する。ドライブ回路３１は、トラッキングサーボ信号に応じてトラッキングアクチュエータ２４を駆動制御して、対物レンズ２０を光ディスク２の径方向に変位させてトラッキングサーボ制御する。
【００２５】
そして、トラッキングエラー信号生成回路３４にて生成されたトラッキングエラー信号は、バンドパスフィルタからなるウォブル信号取出し回路１２にも供給される。ウォブル信号取出し回路１２は、トラッキングエラー信号からウォブル信号を取出してスピンドルモータ制御回路１１に供給する。この供給されたウォブル信号は、スピンドルモータ制御回路１１において、光ディスクを線速度一定で回転させるために用いられる。また、トラッキングサーボ回路３５にて生成されたトラッキングサーボ信号は、スレッドサーボ回路１４にも供給される。スレッドサーボ回路１４においては、供給されたトラッキングサーボ信号から直流的成分が抽出されて、同抽出された直流的成分がフィードモータ６の制御に用いられる。このトラッキングサーボ信号は、スレッドサーボ回路１４にて光スポットのトラック追従のために利用される。
【００２６】
コントローラ１３には、キーボードなどの入力装置１５も接続されている。キーボードは、この光ディスク検査装置１の動作に関するユーザによる指示を入力するもので、例えば光ディスク２上における光スポットの線速度の大きさ（線速度の切り換え）を指示する。また、コントローラ１３は、この入力装置１５の指示に応じて、光ディスク２上における光スポットの線速度の大きさ表す速度制御信号をスピンドルモータ制御回路１１に出力して、線速度（スピンドルモータ５の回転速度）を切り換え制御する。さらに、コントローラ１３は、レーザ光源１６に対する発光制御も行う。例えば入力装置１５からの指示により、光ディスク２に照射するレーザ光のパワーを切り換える。
【００２７】
測定対象である相変化型の光ディスク２には、照射されるレーザパワーの差により、結晶状態−非結晶状態間の相変化が生じる材料からなる記録層が透明基板上に設けてある。この記録層では、レーザ光源１６から強いパワーのレーザ光を短時間照射し、融点以上に急熱して溶融させた後に、急冷して非晶質化させることにより、記録マークが形成される。また、この記録マークに比較的弱いパワーのレーザ光を照射し、融点より低い結晶化可能温度範囲まで昇温した後に、徐冷して結晶化させることにより消去が行なわれる。
【００２８】
すなわち、記録の際には、情報信号に応じて、例えば図２に示すようなレーザパワー波形に変調されたスポット状のレーザ光を記録層に照射する。この図２において、横軸は時間、縦軸はレーザパワーを表している。光ディスク２はレーザ光照射前の状態に係わらず、記録パワー（Ｐ１）、すなわち非晶質化レベルのレーザ光が照射された部分は非晶質状態となり、また、消去パワー（Ｐ２）、すなわち結晶化レベルのレーザ光が照射された部分は結晶状態となる。このようなオーバーライトにより記録層に対して記録マークの形成、消去が行われる。そして、再生は、弱いレベル（Ｐ３）のレーザ光を照射して、結晶状態と非晶質状態の反射光量の変化を検出することにより行われる。上記記録パワー（Ｐ１）及び消去パワー（Ｐ２）は、それぞれ再生ジッターが最小となるレーザパワー（最適パワー）に設定されている。
【００２９】
このような光ディスク２においては、記録層の同一トラックに対して何度もオーバーライトを繰り返すと、熱的ダメージの蓄積により、記録層を成す薄膜の膜厚が変動し、初期の記録層の特性を保持できずエラーが発生し、記録信号に忠実な再生信号を得ることができなくなってくる。この繰り返しオーバーライトによるディスクの特性劣化は常温環境よりも高温環境で顕著に現れ、さらに特性劣化の程度は光ディスクによっても異なる。
【００３０】
書き換え可能な相変化型光ディスク２の例として、ＤＶＤフォーラムで規格化されているＤＶＤ−ＲＷ（DVD-ReWritable）メディアについて、光ディスク検査装置１を用いて特性劣化を測定した結果を、図３Ａ,Ｂを参照して説明する。
【００３１】
図３Ａ,Ｂは、２つのＤＶＤ−ＲＷのディスクＡ、Ｂについて、それぞれ高温及び常温での繰り返しオーバーライトによるジッター値の測定結果の一例を示す。本例の測定では、高温を約６０℃、常温を約２０℃に設定し、最適パワーで１０００回オーバーライトした。また、標準のＤＶＤの回転速度（線速度）は３.５ｍ/ｓであるが、２倍の７.０ｍ/ｓで測定を行った。本例は、通常の倍の回転速度で測定したが、通常の回転速度においてもほぼ同様の結果が得られる。
【００３２】
図３Ａ,Ｂから読み取れるように、常温ではディスクＡ,Ｂともにジッター劣化は小さいが、高温では回数を重ねる程にディスクによりジッター値に差が生じ、ディスクＡのジッターが大きく劣化していることが分かる。すなわち、高温環境で測定を実施するとディスクの品質の差を容易に見分けることができるが、常温環境での通常の検査では特性劣化を予想することが困難である。なお、ＤＶＤ＋ＲＷアライアンスで規格化されたＤＶＤ＋ＲＷメディアでも同様の結果が得られた。
【００３３】
そこで、本願は、常温での検査により、高温での繰り返しオーバーライトによる光ディスクの特性劣化を評価するために、常温環境において、ジッターが最小となる記録パワー（最適パワー）より一定値大きな記録パワーで繰り返しオーバーライトし、一定回数、例えば１０００回繰り返し後の再生信号のジッター値を測定した。すなわち、図２に示すように、最適な非晶質化レベル（Ｐ１）、及び結晶化レベル（Ｐ２）のレーザパワーよりも、それぞれ一定値大きなレーザパワーＰ１´,Ｐ２´で繰り返しオーバーライトを行った。このとき、レーザパワーの記録パワーレベル（Ｐ１´）と消去パワーレベル（Ｐ２´）の比率は、記録パワーレベル（Ｐ１）と消去パワーレベル（Ｐ２）の比率と同一であり、一定に保持されている。上記測定より、以下のような結果を得た。
【００３４】
上記ディスクＡ,Ｂに対して、常温環境において異なるレーザパワーで１０００回繰り返しオーバーライトを行った後に再生信号のジッター値を測定した結果を、図４に示す。横軸はレーザパワーの最適パワーに対する変更値、縦軸はジッター計測装置２８で計測されたジッター値を示し、レーザパワー０％のときを最適パワーとしている。
【００３５】
図４に示されるように、ディスクＡ,Ｂ共にレーザパワーの増加に伴ってジッターは劣化するが、最適パワーより１０％大きいレーザパワーでは、ディスクＢのジッターは１２％程度であるのに対して、ディスクＡではジッターが合格品質の一つの基準とされる１５％程度になっている。また、最適パワーより１５％大きいレーザパワーでは、ディスクＡのジッターが、この測定で使用した光ディスク検査装置１では測定できない程に更に大きく劣化している。なお、この例では、オーバーライトの繰り返し回数を１０００回としているが、ディスクのジッターの差が認識できる回数であれば、この例に限らない。
【００３６】
次に、数種類の相変化型光ディスクに対して、高温環境（６０℃）にて最適パワーで１０００回繰り返しオーバーライトした後のジッター値の実測値と、常温環境にて最適パワーより１０％大きいレーザパワーで１０００回繰り返しオーバーライトした後の再生信号ジッター値の相関を、図５に示す。図５に示すように、両者にはほぼ線形な相関関係を見出すことができる。最適パワーより１０％〜１５％程度大きいレーザパワーで測定を行った場合もほぼ同様の結果が得られた。このことから常温で最適パワーよりやや大きいレーザパワーで繰り返しオーバーライトすることにより、高温での繰り返しオーバーライトによる光ディスクの特性劣化を予測可能であることが確認できる。
【００３７】
上述の実施の形態による検査時の測定条件としては、図４より、常温環境での検査時の照射レーザ光のレーザパワーは、少なくとも最適パワーより１０％程度大きく、かつ同１５％程度までが適当と考えられる。
【００３８】
また、図５に示すように、高温環境での繰り返しオーバーライト後の再生信号のジッター値が約１５％のとき、常温環境で最適パワーより１０％大きいレーザパワーでのオーバーライト後のジッター値も約１５％であることから、一つの基準として、常温で例えば１０００回繰り返しオーバーライト後の再生信号のジッター値が１５％以下であることを、ディスクの良否の判定基準とすると好適である。例えば、再生信号のジッター値を測定し、コントローラ１３にてその測定値が不図示の不揮発性メモリに記憶しておいた光ディスクのジッターの基準値以下であるか判定し、その判定結果に基づき仕様に対する合否を判断する。
【００３９】
なお、図５に示す相関関係が、仮に高温での繰り返しオーバーライト後の再生信号のジッター値が約１５％のときに、常温で最適パワーより１０％大きいレーザパワーでのオーバーライト後のジッター値が約１３％であった場合、常温でのジッター値１３％以下のときに高温での基準値１５％を満たすものと判断することができる。また、本例では高温でのジッター値の基準値を１５％としたが、メディアの仕様に応じて適宜設定することが望ましい。
【００４０】
上述した構成によれば、書き換え可能な相変化型の光ディスクについて、常温での測定により、高温環境においてオーバーライトを繰り返した場合の再生信号の品質劣化を予測することができるので、検査装置に負担を掛けることなく、相変化型光ディスクの高温での耐久性を精度良く測定できるようになり、仕様に対する合否を正確かつ簡易に判定することができる。
【００４１】
なお、本発明は上述した実施の形態の例に限られるものではなく、本発明の要旨を逸脱することなくその他種々の構成を取り得ることは勿論である。
【図面の簡単な説明】
【００４２】
【図１】本発明による光記録媒体の検査方法に使用される光ディスク検査装置の構成例を示すブロック図である。
【図２】本発明による光記録媒体の検査方法におけるレーザパワー変調波形の一例を示す線図である。
【図３】２つの光記録媒体について、それぞれ高温及び常温での繰り返しオーバーライトによるジッター値の測定結果の一例を示した線図である。
【図４】本発明の光記録媒体の検査方法による、異なるレーザパワーによる繰り返しオーバーライト後のジッター値の測定結果の一例を示した線図である。
【図５】本発明の光記録媒体の検査方法による、高温で繰り返しオーバーライトした後のジッター値の実測値と、常温で最適パワーより１０％大きいレーザパワーで繰り返ししオーバーライトした後のジッター値の相関を示した図である。
【符号の説明】
【００４３】
１…光ディスク検査装置、２…光ディスク、４…光ピックアップ装置、１３…コントローラ、１５…入力装置、１６…レーザ光源、２２…フォトディテクタ、２５…再生信号生成回路、２６…波形等価回路、２７…２値化回路２７、２８…ジッター計測装置
【図１】
2006202386.tif 000003
【図２】
2006202386.tif 000004
【図３】
2006202386.tif 000005
【図４】
2006202386.tif 000006
【図５】
2006202386.tif 000007
【手続補正書】
【提出日】平成18年3月16日(2006.3.16)
【手続補正１】
【補正対象書類名】特許請求の範囲
【補正対象項目名】全文
【補正方法】変更
【補正の内容】
【特許請求の範囲】
【請求項１】
相変化型光記録媒体に対して、常温において、再生信号のジッター値が最小となるレーザパワーより大きな所定のレーザパワーを前記相変化型光記録媒体に照射するステップと、
前記所定のレーザパワーで同一トラックを繰り返しオーバーライトするステップと、
一定回数オーバーライト後の再生信号のジッター値を測定するステップと、
前記測定されたジッター値が基準値以下かどうかにより仕様に対する合否を判定するステップと、
を含むことを特徴とする相変化型光記録媒体の検査方法。
【請求項２】
前記所定のレーザパワーは、前記ジッター値が最小となるレーザパワーより１０〜１５％大きい値である
ことを特徴とする請求項１に記載の相変化型光記録媒体の検査方法。
【請求項３】
前記一定回数オーバーライト後のジッター値の前記基準値が、１５％である
ことを特徴とする請求項１又は２に記載の相変化型光記録媒体の検査方法。
【請求項４】
前記オーバーライト時の前記レーザパワーの記録パワーレベルと消去パワーレベルの比率が一定である
ことを特徴とする請求項１〜３のいずれか１項に記載の相変化型光記録媒体の検査方法。
【請求項５】
前記オーバーライト回数が、少なくとも１０００回である
ことを特徴とする請求項１〜４のいずれか１項に記載の相変化型光記録媒体の検査方法。
【請求項６】
前記相変化型光記録媒体は、ＤＶＤ−ＲＷ又はＤＶＤ＋ＲＷメディアである
ことを特徴とする請求項１〜５のいずれか１項に記載の相変化型光記録媒体の検査方法。
【請求項７】
相変化型光記録媒体に対して信号を記録する相変化型光記録媒体装置であって、
再生信号のジッターが最小となるレーザパワーより大きな所定のレーザパワーでレーザ光を相変化型光記録媒体に対して照射する照射手段と、
同一トラックを繰り返しオーバーライトする繰り返しオーバーライト手段と、
一定回数オーバーライト後の再生信号のジッター値を測定するジッター値測定手段と、
前記測定されたジッター値が基準値以下かどうかにより仕様に対する合否を判定する判定手段と、
を有することを特徴とする相変化型光記録媒体装置。
【手続補正３】
【補正対象書類名】明細書
【補正対象項目名】０００１
【補正方法】変更
【補正の内容】
【０００１】
本発明は、相変化型光記録媒体の検査方法及び相変化型光記録媒体装置に関し、特に高温環境におけるオーバーライトの繰り返しによる相変化型光記録媒体の再生信号の品質劣化を評価する検査方法とその検査を実施する相変化型光記録媒体装置に係わる。
【手続補正４】
【補正対象書類名】明細書
【補正対象項目名】００１０
【補正方法】変更
【補正の内容】
【００１０】
以下、本発明による相変化型光記録媒体の検査方法及びその検査に用いられる相変化型光記録媒体装置の実施の形態について、図１〜図５を参照しながら説明する。
【手続補正５】
【補正対象書類名】明細書
【補正対象項目名】００１１
【補正方法】変更
【補正の内容】
【００１１】
まず、本発明の一実施の形態の例の相変化型光記録媒体（以下、「光ディスク」と称する。）の検査に使用される検査装置（相変化型光記録媒体装置）を、図１に示す。なお、図１に示す光ディスク検査装置１の構成は一例であって、この例に限られるものではない。